(57)【特許請求の範囲】
【請求項１】
シート材に印刷をする印刷部が内部に配置され、開口部を有する筐体と、
前記開口部の少なくとも一部を閉塞する位置である閉塞位置と、前記開口部を開放する位置である開放位置との間を、所定方向に延びる仮想軸線周りに回動可能なカバーと、
前記所定方向に並んで設けられ、夫々が前記カバーを前記閉塞位置にて係止する第一係止手段及び第二係止手段とを備え、
前記第一係止手段は、
前記カバーに設けられ、前記カバーが前記開放位置へ回動する方向である開方向に向けて、前記第二係止手段側に傾斜して延びる第一傾斜面と、
前記筐体に設けられ、前記カバーが前記閉塞位置にある場合に、前記第一傾斜面と係止する第一突部とを備え、
前記第二係止手段は、
前記カバーに設けられ、前記開方向に向けて、前記第一係止手段側に傾斜して延びる第二傾斜面と、
前記筐体に設けられ、前記カバーが前記閉塞位置にある場合に、前記第二傾斜面と係止する第二突部とを備え、
前記第一傾斜面と前記開方向とがなす鈍角の角度は、前記第二傾斜面と前記開方向とがなす鈍角の角度よりも小さく、
前記カバーが前記閉塞位置と前記開放位置の間の所定位置にある場合に、前記第一傾斜面は前記第一突部と前記第二突部の間に配置されることを特徴とする印刷装置。
【請求項２】
前記筐体の内部に配置され、前記印刷部とは反対側から前記シート材を挟み込んで回転し、前記印刷部によって印刷がなされた前記シート材を搬送する搬送ローラと、
前記開口部に配置され、前記搬送ローラ及び前記印刷部の何れか一方と連結する移動部材であって、前記閉塞位置まで回動する前記カバーに連動して、第一位置から、前記第一位置よりも前記開方向とは反対の閉方向側の位置である第二位置まで移動することで、前記搬送ローラ及び前記印刷部の前記何れか一方を、前記シート材に対して離間する位置から、前記シート材に対して接触する位置まで移動させる移動部材と、
前記筐体の内部に配置され、前記閉塞位置にある前記カバーによって前記閉方向側に押圧されることで、前記カバーが前記閉塞位置にあることを検知する検知部と
をさらに備えたことを特徴とする請求項１に記載の印刷装置。
【請求項３】
前記第二位置にある前記移動部材は、前記所定方向において、前記第一係止手段と前記第二係止手段とから等しい距離の位置である中間位置に対して、前記第一係止手段側に配置されることを特徴とする請求項２に記載の印刷装置。
【請求項４】
前記第二突部は、互いに異なる方向に延びる二つの平面を接続する角部を備え、前記角部を前記第二傾斜面に係止させることを特徴とする請求項１から３の何れかに記載の印刷装置。
【請求項５】
前記第二突部は、球状に形成されることを特徴とする請求項１から３の何れかに記載の印刷装置。
【請求項６】
前記第一突部は、前記第一傾斜面と略平行に延びることを特徴とする請求項１から４の何れかに記載の印刷装置。
【請求項７】
前記第一係止手段は、前記カバーに設けられ、且つ前記開方向とは反対方向に向けて前記第二係止手段側に傾斜して延びる第一摺動面であって、前記カバーが前記閉塞位置まで回動する場合に、前記第一突部に対して摺動する第一摺動面を備え、
前記第二係止手段は、前記カバーに設けられ、前記反対方向に向けて前記第一係止手段側に傾斜して延びる第二摺動面であって、前記カバーが前記閉塞位置まで回動する場合に、前記第二突部に対して摺動する第二摺動面を備え、
前記第一摺動面と前記第二摺動面の夫々の前記反対方向に対する角度は、互いに異なることを特徴とする請求項１から６の何れかに記載の印刷装置。
【請求項８】
前記第一係止手段は、前記カバーに設けられ、且つ前記開方向とは反対方向に向けて前記第二係止手段側に傾斜して延びる第一摺動面であって、前記カバーが前記閉塞位置まで回動する場合に、前記第一突部に対して摺動する第一摺動面を備え、
前記第二係止手段は、前記カバーに設けられ、前記反対方向に向けて前記第一係止手段側に傾斜して延びる第二摺動面であって、前記カバーが前記閉塞位置まで回動する場合に、前記第二突部に対して摺動する第二摺動面を備え、
前記第一摺動面と前記反対方向とがなす鈍角の角度は、前記第二摺動面と前記反対方向とがなす鈍角の角度よりも大きいことを特徴とする請求項３から６の何れかに記載の印刷装置。
【請求項９】
シート材に印刷をする印刷部が内部に配置され、開口部を有する筐体と、
前記開口部の少なくとも一部を閉塞する位置である閉塞位置と、前記開口部を開放する位置である開放位置との間を、所定方向に延びる仮想軸線周りに回動可能なカバーと、
前記所定方向に並んで設けられ、夫々が前記カバーを前記閉塞位置にて係止する第一係止手段及び第二係止手段とを備え、
前記第一係止手段は、
前記筐体に設けられ、前記カバーが前記開放位置へ回動する方向である開方向に向けて、前記第二係止手段側に傾斜して延びる第一斜面と、
前記カバーに設けられ、前記カバーが前記閉塞位置にある場合に、前記第一斜面と係止する第一突起部とを備え、
前記第二係止手段は、
前記筐体に設けられ、前記開方向に向けて、前記第一係止手段側に傾斜して延びる第二斜面と、
前記カバーに設けられ、前記カバーが前記閉塞位置にある場合に、前記第二斜面と係止する第二突起部とを備え、
前記第一斜面と前記開方向とがなす鈍角の角度は、前記第二斜面と前記開方向とがなす鈍角の角度よりも小さく、
前記カバーが前記閉塞位置と前記開放位置の間の所定位置にある場合に、前記第一突起部は前記第一斜面と前記第二係止手段の間に配置されることを特徴とする印刷装置。
【請求項１０】
シート材に印刷をする印刷部が内部に配置され、開口部を有する筐体と、
前記開口部の少なくとも一部を閉塞する位置である閉塞位置と、前記開口部を開放する位置である開放位置との間を、所定方向に延びる仮想軸線周りに回動可能なカバーと、
前記所定方向に並んで設けられ、夫々が前記カバーを前記閉塞位置にて係止する第一係止手段及び第二係止手段とを備え、
前記第一係止手段は、
前記カバーに設けられ、前記カバーが前記開放位置へ回動する方向である開方向に向けて、前記第二係止手段側に傾斜して延びる第一係止面と、
前記筐体に設けられ、前記カバーが前記閉塞位置にある場合に、前記第一係止面と係止する第一突出部とを備え、
前記第二係止手段は、
前記カバーに設けられ、前記開方向に向けて、前記第一係止手段とは反対側に傾斜して延びる第二係止面と、
前記筐体に設けられ、前記カバーが前記閉塞位置にある場合に、前記第二係止面と係止する第二突出部とを備え、
前記第一係止面と前記開方向とがなす鈍角の角度は、前記第二係止面と前記開方向とがなす鈍角の角度よりも小さく、
前記カバーが前記閉塞位置と前記開放位置の間の所定位置にある場合に、前記第一係止面は前記第一突出部と前記第二突出部の間に配置されることを特徴とする印刷装置。
【請求項１１】
シート材に印刷をする印刷部が内部に配置され、開口部を有する筐体と、
前記開口部の少なくとも一部を閉塞する位置である閉塞位置と、前記開口部を開放する位置である開放位置との間を、所定方向に延びる仮想軸線周りに回動可能なカバーと、
前記所定方向に並んで設けられ、夫々が前記カバーを前記閉塞位置にて係止する第一係止手段及び第二係止手段とを備え、
前記第一係止手段は、
前記筐体に設けられ、前記カバーが前記開放位置へ回動する方向である開方向に向けて、前記第二係止手段側に傾斜して延びる第一特定面と、
前記カバーに設けられ、前記カバーが前記閉塞位置にある場合に、前記第一特定面と係止する第一凸部とを備え、
前記第二係止手段は、
前記筐体に設けられ、前記開方向に向けて、前記第一係止手段とは反対側に傾斜して延びる第二特定面と、
前記カバーに設けられ、前記カバーが前記閉塞位置にある場合に、前記第二特定面と係止する第二凸部とを備え、
前記第一特定面と前記開方向とがなす鈍角の角度は、前記第二特定面と前記開方向とがなす鈍角の角度よりも小さく、
前記カバーが前記閉塞位置と前記開放位置の間の所定位置にある場合に、前記第一凸部は前記第一特定面と前記第二係止手段の間に配置されることを特徴とする印刷装置。
【発明の詳細な説明】
【技術分野】
【０００１】
本発明は、印刷装置に関する。
【背景技術】
【０００２】
従来、開口部を開閉するカバーを備えた印刷装置が知られている。例えば、特許文献１に開示の印刷装置は、上部支持体、強係止片、弱係止片、及びカバーを備える。上部支持体には、開口部が形成される。開口部には、シート材としてのロールシートが収納される。強係止片及び弱係止片は、上部支持体に設けられ、開口部の左右両側に夫々配置される。カバーは、開口部を開閉可能であり、二つの係合凹部を備える。二つの係合凹部は、カバーの内側側面のうち、左右両側部の夫々に形成される。二つの係合凹部は、左右方向において、強係止片及び弱係止片を挟んで並ぶ。カバーが収納部を閉鎖する閉鎖位置まで移動すると、二つの係合凹部の一方は強係止片に係止し、他方は弱係止片に係止する。カバーは閉鎖位置にてロックされる。ユーザが、閉鎖位置にてロックされるカバーを開ける場合、強係止片が係合凹部から外れた後に、弱係止片が係合凹部から外れる。
【０００３】
【特許文献１】特開２００６−１０２９４９号公報
【発明の概要】
【発明が解決しようとする課題】
【０００４】
しかし、強係止片が係合凹部から外れると、カバーは、強係止片側の部位が弱係止片側の部位よりも高い姿勢となる。これにより、弱係止片が、対応する係合凹部に向けて押圧される可能性がある。この場合、弱係止片が係合凹部から外れにくくなり、カバーのロックが外れにくくなる可能性がある。
【０００５】
本発明の目的は、カバーのロックを解除する操作性が向上した印刷装置を提供することである。
【課題を解決するための手段】
【０００６】
本発明の第一態様に係る印刷装置は、シート材に印刷をする印刷部が内部に配置され、開口部を有する筐体と、前記開口部の少なくとも一部を閉塞する位置である閉塞位置と、前記開口部を開放する位置である開放位置との間を、所定方向に延びる仮想軸線周りに回動可能なカバーと、前記所定方向に並んで設けられ、夫々が前記カバーを前記閉塞位置にて係止する第一係止手段及び第二係止手段とを備え、前記第一係止手段は、前記カバーに設けられ、前記カバーが前記開放位置へ回動する方向である開方向に向けて、前記第二係止手段側に傾斜して延びる第一傾斜面と、前記筐体に設けられ、前記カバーが前記閉塞位置にある場合に、前記第一傾斜面と係止する第一突部とを備え、前記第二係止手段は、前記カバーに設けられ、前記開方向に向けて、前記第一係止手段側に傾斜して延びる第二傾斜面と、前記筐体に設けられ、前記カバーが前記閉塞位置にある場合に、前記第二傾斜面と係止する第二突部とを備え、前記第一傾斜面と前記開方向とがなす鈍角の角度は、前記第二傾斜面と前記開方向とがなす鈍角の角度よりも小さく、前記カバーが前記閉塞位置と前記開放位置の間の所定位置にある場合に、前記第一傾斜面は前記第一突部と前記第二突部の間に配置されることを特徴とする。
【０００７】
第一態様によれば、第一傾斜面と開方向とがなす鈍角の角度が、第二傾斜面と開方向とがなす鈍角の角度よりも小さいので、第一係止手段は第二係止手段よりも強い力でカバーを係止する。ユーザがカバーを閉塞位置から開放位置へ向けて回動させる場合、第二係止手段によるカバーの係止が解除された後に、第一係止手段による係止が解除される。第一係止手段及び第二係止手段が所定方向に並んで設けられるので、第二係止手段のみの係止が解除された場合、カバーは、第二係止手段側の部位が第一係止手段側の部位よりも開方向側となる姿勢になる。第一傾斜面は、第一突部から離間する方向に変位し、第一突部に押圧されにくい。これにより、第二係止手段による係止が解除された場合、第一係止手段の係止は解除され易くなる。よって、印刷装置は、カバーの係止が解除される操作性を向上できる。
【０００８】
本発明の第二態様に係る印刷装置は、シート材に印刷をする印刷部が内部に配置され、開口部を有する筐体と、前記開口部の少なくとも一部を閉塞する位置である閉塞位置と、前記開口部を開放する位置である開放位置との間を、所定方向に延びる仮想軸線周りに回動可能なカバーと、前記所定方向に並んで設けられ、夫々が前記カバーを前記閉塞位置にて係止する第一係止手段及び第二係止手段とを備え、前記第一係止手段は、前記筐体に設けられ、前記カバーが前記開放位置へ回動する方向である開方向に向けて、前記第二係止手段側に傾斜して延びる第一斜面と、前記カバーに設けられ、前記カバーが前記閉塞位置にある場合に、前記第一斜面と係止する第一突起部とを備え、前記第二係止手段は、前記筐体に設けられ、前記開方向に向けて、前記第一係止手段側に傾斜して延びる第二斜面と、前記カバーに設けられ、前記カバーが前記閉塞位置にある場合に、前記第二斜面と係止する第二突起部とを備え、前記第一斜面と前記開方向とがなす鈍角の角度は、前記第二斜面と前記開方向とがなす鈍角の角度よりも小さく、前記カバーが前記閉塞位置と前記開放位置の間の所定位置にある場合に、前記第一突起部は前記第一斜面と前記第二係止手段の間に配置されることを特徴とする。第二態様によれば、第一態様に係る印刷装置と同様の効果を奏することができる。
【０００９】
本発明の第三態様に係る印刷装置は、シート材に印刷をする印刷部が内部に配置され、開口部を有する筐体と、前記開口部の少なくとも一部を閉塞する位置である閉塞位置と、前記開口部を開放する位置である開放位置との間を、所定方向に延びる仮想軸線周りに回動可能なカバーと、前記所定方向に並んで設けられ、夫々が前記カバーを前記閉塞位置にて係止する第一係止手段及び第二係止手段とを備え、前記第一係止手段は、前記カバーに設けられ、前記カバーが前記開放位置へ回動する方向である開方向に向けて、前記第二係止手段側に傾斜して延びる第一係止面と、前記筐体に設けられ、前記カバーが前記閉塞位置にある場合に、前記第一係止面と係止する第一突出部とを備え、前記第二係止手段は、前記カバーに設けられ、前記開方向に向けて、前記第一係止手段とは反対側に傾斜して延びる第二係止面と、前記筐体に設けられ、前記カバーが前記閉塞位置にある場合に、前記第二係止面と係止する第二突出部とを備え、前記第一係止面と前記開方向とがなす鈍角の角度は、前記第二係止面と前記開方向とがなす鈍角の角度よりも小さく、前記カバーが前記閉塞位置と前記開放位置の間の所定位置にある場合に、前記第一係止面は前記第一突出部と前記第二突出部の間に配置されることを特徴とする。第三態様によれば、第一態様に係る印刷装置と同様の効果を奏することができる。
【００１０】
本発明の第四態様に係る印刷装置は、シート材に印刷をする印刷部が内部に配置され、開口部を有する筐体と、前記開口部の少なくとも一部を閉塞する位置である閉塞位置と、前記開口部を開放する位置である開放位置との間を、所定方向に延びる仮想軸線周りに回動可能なカバーと、前記所定方向に並んで設けられ、夫々が前記カバーを前記閉塞位置にて係止する第一係止手段及び第二係止手段とを備え、前記第一係止手段は、前記筐体に設けられ、前記カバーが前記開放位置へ回動する方向である開方向に向けて、前記第二係止手段側に傾斜して延びる第一特定面と、前記カバーに設けられ、前記カバーが前記閉塞位置にある場合に、前記第一特定面と係止する第一凸部とを備え、前記第二係止手段は、前記筐体に設けられ、前記開方向に向けて、前記第一係止手段とは反対側に傾斜して延びる第二特定面と、前記カバーに設けられ、前記カバーが前記閉塞位置にある場合に、前記第二特定面と係止する第二凸部とを備え、前記第一特定面と前記開方向とがなす鈍角の角度は、前記第二特定面と前記開方向とがなす鈍角の角度よりも小さく、前記カバーが前記閉塞位置と前記開放位置の間の所定位置にある場合に、前記第一凸部は前記第一特定面と前記第二係止手段の間に配置されることを特徴とする。第四態様によれば、第一態様に係る印刷装置と同様の効果を奏することができる。
【図面の簡単な説明】
【００１１】
【図１】印刷装置１及びテープカセット３０の斜視図である。
【図２】印刷装置１の平面図である。
【図３】図２のＩ−Ｉ線の矢視方向における印刷装置１の断面図である。
【図４】可動機構１００の斜視図である。
【図５】図４のＩＩ−ＩＩ線の矢視方向における可動機構１００の断面図である。
【図６】カバー１９が当接位置まで回動した印刷装置１の断面図である。
【図７】カバー１９が傾斜姿勢となる印刷装置１の断面図である。
【図８】第一変形例に係る印刷装置２の断面図である。
【図９】第二変形例に係る印刷装置３の断面図である。
【図１０】第三変形例に係る印刷装置４の断面図である。
【図１１】第四変形例に係る印刷装置５の断面図である。
【図１２】第五変形例に係る印刷装置６の断面図である。
【発明を実施するための形態】
【００１２】
以下、本発明の一実施形態である印刷装置１について図面を参照して説明する。以下の説明では、図１の上側、下側、右下側、左上側、左下側、及び右上側を、夫々、印刷装置１の上側、下側、右側、左側、前側、及び後側とする。
【００１３】
図１〜図３を参照し、印刷装置１の概略構成について説明する。尚、図２では、閉塞位置（後述）にあるカバー１９を取り除いて図示する。印刷装置１は、キャラクタ（文字、記号及び数字等）をシート材５９（図１参照）に印刷する装置である。
【００１４】
図１及び図２に示すように、印刷装置１は、略直方体状の筐体２４を備える。筐体２４の後側部には、開口部であるカセット装着部８が形成される。カセット装着部８の内部には、正面視で略矩形状のヘッドホルダ７４が立設される。ヘッドホルダ７４の前面には、シート材５９に印刷をするサーマルヘッド１０（図２参照）が取り付けられる。
【００１５】
図１に示すように、カセット装着部８には、巻回されたシート材５９等を内蔵するテープカセット３０が着脱される。テープカセット３０は、平面視で丸みを帯びた角部を有する略直方体状（箱型）のカセットケース３１を有する。カセットケース３１の前部には、アーム部３４が形成される。アーム部３４は、カセットケース３１の右前部から左方に延びる。アーム部３４の左端部には、シート材５９が排出される開口部（図示略）が形成される。
【００１６】
アーム部３４の開口部から排出されるシート材５９の後側には、ヘッド挿入部３９が配置される。ヘッド挿入部３９は、カセットケース３１を上下方向に貫通する空間である。テープカセット３０がカセット装着部８に装着された場合に、ヘッド挿入部３９にはヘッドホルダ７４及びサーマルヘッド１０が配置される（図５参照）。ヘッド挿入部３９の左側には、テープ駆動ローラ４６が回転可能に軸支される。テープ駆動ローラ４６には、テープ駆動ローラカム１１（図５参照）が挿嵌される。テープ駆動ローラ４６は、テープ駆動ローラカム１１によって回転駆動される。
【００１７】
カセット装着部８は、カバー１９によって開閉される。カバー１９は、略矩形状の板状部材である。カバー１９の一端部は、カセット装着部８の後側で左右方向に延びる支軸２５によって軸支される。カバー１９は、左右方向に延びる仮想軸線（図示略）周りに回動可能である。カバー１９は、カセット装着部８及び後述の開口部７を閉塞する閉塞位置（図３参照）と、カセット装着部８及び開口部７を開放する開放位置（図１参照）との間を回動可能である。以下、カバー１９が開放位置へ回動する方向を開方向といい、開方向とは反対方向を閉方向という。
【００１８】
図１及び図３に示すように、カバー１９の裏面（閉方向側の側面）の右前部には、閉方向側に向けて立設するセンサ押圧部６３が設けられる。センサ押圧部６３は、閉塞位置にて機械式センサ６６を閉方向側へ向けて押圧する。機械式センサ６６は、カセット装着部８の右前側に形成された穴部である進入口１２（図２参照）の内部に配置される。機械式センサ６６は、進入口１２に進入したセンサ押圧部６３によって押圧されることで、カバー１９が閉塞位置にあることを検知する。カバー１９が閉塞位置から開方向へ回動する場合、センサ押圧部６３は機械式センサ６６から離間する。これにより、機械式センサ６６はカバー１９が閉塞位置にないことを検知する。
【００１９】
センサ押圧部６３の左側には、平板状のレバー押圧部６２が形成される。レバー押圧部６２の右端部には、閉方向側に向けて突出しさらに左方に折れ曲がる突出片６４が設けられる。レバー押圧部６２及び突出片６４は、カバー１９の裏面のうち左右方向の中央部よりも右側の部位に配置され、レバー１６と接触可能である。レバー１６は、カセット装着部８の前側、且つカバー１９の左右方向の中央部よりも右側に形成された開口部７（図１参照）に配置される。レバー１６は、後述の可動機構１００に揺動可能に設けられる。カバー１９が開放位置から閉塞位置まで回転する場合、レバー押圧部６２がレバー１６を閉方向側へ押圧する一方、カバー１９が閉塞位置から開放位置まで回転する場合、突出片６４がレバー１６を引き上げる。
【００２０】
次に、図４及び図５を参照し、印刷装置１が備える可動機構１００の構成について説明する。尚、図５ではカセット装着部８（図１参照）に装着されたテープカセット３０を仮想線によって図示する。
【００２１】
可動機構１００は、筐体２４の内部であって、カセット装着部８（図１参照）の前方に設けられる。可動機構１００は、レバー１６、リリースロッド１７、ローラホルダ１８、プラテンローラ１５（図５参照）、及び可動搬送ローラ１４を備える。可動機構１００は、レバー１６の揺動とローラホルダ１８の揺動とを連動させる機構である。ローラホルダ１８が揺動することで、プラテンローラ１５及び可動搬送ローラ１４はシート材５９に対して接離可能である。
【００２２】
レバー１６は、正面視で半円弧状に湾曲する板状部材である。レバー１６の上下方向の中央より下側には、レバー軸部１６１が形成される。レバー１６は、レバー軸部１６１を中心に、第一位置（図１、図４参照）と第二位置（図３参照）との間を揺動可能である。第一位置は、上端部が開口部７よりも上側に突出するレバー１６の回動位置である。第二位置は、上端部が開口部７に進入するレバー１６の回動位置である。
【００２３】
リリースロッド１７は、左右方向に長い略矩形状の板状部材であり、左右方向に沿って移動可能に設けられる。以下、リリースロッド１７の可動範囲の右端を右端位置といい、左端を左端位置という。リリースロッド１７の右端部は、レバー１６のうちレバー軸部１６１よりも下側の部位と、摺動可能に係合する。これにより、レバー１６が第一位置から第二位置まで正面視で時計回り（矢印Ｄ１方向）に揺動する場合、リリースロッド１７は右端位置から左端位置まで左方向（矢印Ｄ３方向）に移動可能である。一方、レバー１６が第二位置から第一位置まで正面視で反時計回り（矢印Ｄ２方向）に揺動する場合、リリースロッド１７は左端位置から右端位置まで右方向（矢印Ｄ４方向）に移動可能である。
【００２４】
図５に示すように、リリースロッド１７の左端部には、ロッド押圧部１７１が形成される。ロッド押圧部１７１は、リリースロッド１７が左右方向に移動することで、ローラホルダ１８に対して接離可能である。ロッド押圧部１７１は、押圧部後面１７１１（図５参照）及び押圧部傾斜面１７１２（図５参照）を備える。押圧部後面１７１１は、ロッド押圧部１７１の後端面であり、上下方向に延びる。押圧部傾斜面１７１２は、押圧部後面１７１１の左端から、左前方に向けて延びる。
【００２５】
ローラホルダ１８は、後方に向けて開口する略箱状の部材であり、レバー１６の左側、
且つ、リリースロッド１７の後側に配置される。ローラホルダ１８の右後部には、上下方向に延びる貫通孔である被軸支部１８１が形成される。ローラホルダ１８は、被軸支部１８１を中心に揺動可能に軸支される。ローラホルダ１８は、付勢バネ（図示略）によって前方向へ付勢されている。以下、ローラホルダ１８の揺動範囲の前端を前端位置といい、後端を後端位置という。
【００２６】
ローラホルダ１８の背面部の左側部には、ロッド押圧部１７１が接離可能な受部１８４が形成される。受部１８４は、右後方から左前方に向けて傾斜して延び更に略左方に延びる板部である。リリースロッド１７が右端位置から左端位置まで移動する場合、押圧部傾斜面１７１２及び押圧部後面１７１１が順に、受部１８４に対して摺動する。これにより、ローラホルダ１８は前端位置から後端位置まで平面視で時計回り（矢印Ｄ５方向）に揺動可能である。一方、リリースロッド１７が左端位置から右端位置まで移動する場合、ローラホルダ１８は、付勢バネ（図示略）の付勢力によって、後端位置から前端位置まで平面視で反時計回り（矢印Ｄ６方向）に揺動可能である。
【００２７】
プラテンローラ１５及び可動搬送ローラ１４は、受部１８４の後側で、ローラホルダ１８によって回転自在に保持される。プラテンローラ１５及び可動搬送ローラ１４は、ローラホルダ１８及びリリースロッド１７を介して、レバー１６と連結する。プラテンローラ１５及び可動搬送ローラ１４は、右側から順に並ぶ。プラテンローラ１５はサーマルヘッド１０（図５参照）の前方に配置され、可動搬送ローラ１４はテープ駆動ローラ４６（図５参照）の前方に配置される。ローラホルダ１８が前端位置から後端位置まで揺動する場合、プラテンローラ１５はサーマルヘッド１０とは反対側からシート材５９を挟み込み、可動搬送ローラ１４はテープ駆動ローラ４６とは反対側からシート材５９を挟み込む。サーマルヘッド１０によって印刷がなされたシート材５９は、テープ駆動ローラ４６、可動搬送ローラ１４及びプラテンローラ１５が回転することで、左方に搬送される。一方、ローラホルダ１８が後端位置から前端位置まで揺動する場合、プラテンローラ１５及び可動搬送ローラ１４は、シート材５９から離間する。尚、図２では、ローラホルダ１８が後端位置まで揺動した場合におけるプラテンローラ１５及び可動搬送ローラ１４が、仮想線によって図示される。
【００２８】
図３を参照し、印刷装置１が備える第一係止機構１１０及び第二係止機構２１０の構成について説明する。第一係止機構１１０及び第二係止機構２１０は、夫々、カバー１９を閉塞位置にて係止する機構である。第一係止機構１１０及び第二係止機構２１０は、左右方向に並んで設けられる。第一係止機構１１０は、一例として、第二係止機構２１０の右側に配置される。
【００２９】
第一係止機構１１０は、互いに係止可能な第一突出片１３１及び第一立設部１４１を備える。第一突出片１３１は、カバー１９の裏面のうち、センサ押圧部６３より右側の部位から、閉方向側へ向けて突出する。第一突出片１３１は、側面視で略矩形状の板状部材である（図１参照）。第一突出片１３１の右側面には、左方へ向けて凹む凹部１３１Ａが形成される。
【００３０】
凹部１３１Ａの閉方向側には、第一突出片１３１の先端部である第一頭部１３３が形成される。第一頭部１３３は、第一摺動面１３４、第一壁面１３５、及び第一傾斜面１３６を備える。第一摺動面１３４は、第一頭部１３３の先端から開方向に向けて右側に傾斜して延びる。換言すると、第一摺動面１３４は、閉方向に向けて第二係止機構２１０側に傾斜して延びる。以下、第一摺動面１３４と開方向（閉方向）とがなす鈍角の角度を角度α１という。第一壁面１３５は、第一摺動面１３４の開向側の端から、開方向に向けて延びる。第一傾斜面１３６は、第一壁面１３５の開方向側の端から、開方向に向けて左側に傾斜して延びる。換言すると、第一傾斜面１３６は、開方向に向けて第二係止機構２１０側に傾斜して延びる。以下、第一傾斜面１３６と開方向とがなす鈍角の角度を、角度β１という。第一傾斜面１３６は、カバー１９が閉塞位置よりも開方向側にある場合、第一立設部１４１と第二係止機構２２０との間に配置される。
【００３１】
第一立設部１４１は、筐体２４に形成される穴部１４２を囲む壁部から下方に立設する。穴部１４２は進入口１２（図２参照）の右側に形成される。第一立設部１４１の先端部には、第一突部１４３が設けられる。第一突部１４３は第一立設部１４１から左方へ向けて突出する。第一突部１４３の配置位置は、カバー１９が閉塞位置よりも開方向側にある場合において、第一傾斜面１３６に対して第二係止機構２１０とは反対側となる位置である。換言すると、カバー１９が閉塞位置よりも開方向側に位置する場合において、第一傾斜面１３６は、第一突部１４３と第二係止機構２１０との間に配置される。
【００３２】
第一突部１４３は、接触面１４６、壁面１４５、及び第一被摺動面１４４を備える。接触面１４６は、第一突部１４３の先端を形成する面であり、開方向へ向けて第二係止機構２１０側に傾斜して延びる。接触面１４６は、第一傾斜面１３６と略平行に延びる。カバー１９が閉塞位置にある場合、接触面１４６に対して第一傾斜面１３６が閉方向側から係止する。これにより、第一係止機構１１０はカバー１９を係止する。
【００３３】
壁面１４５は、接触面１４６の開方向側の端から、開方向へ向けて延びる。壁面１４５は、第一突出片１３１の第一壁面１３５と略平行である。壁面１４５は第一壁面１３５と接触可能である。第一被摺動面１４４は、壁面１４５の開方向側の端から、開方向へ向けて右側に傾斜して延びる。第一被摺動面１４４には、第一突出片１３１の第一摺動面１３４が摺動可能である。
【００３４】
第二係止機構２１０は、互いに係止可能な第二突出片２３１及び第二立設部２４１を備える。第二突出片２３１は、カバー１９の裏面のうち左側の部位から、閉方向側へ向けて突出する。第二突出片２３１は、側面視で略矩形状の板状部材である。第二突出片２３１の左側面には、右方へ向けて凹む凹部２３１Ａが形成される。
【００３５】
凹部２３１Ａの閉方向側には、第二突出片２３１の先端部である第二頭部２３３が形成される。第二頭部２３３は、第二摺動面２３４、第二壁面２３５、及び第二傾斜面２３６を備える。第二摺動面２３４は、第二頭部２３３の先端から開方向に向けて左側に傾斜して延びる。換言すると、第二摺動面２３４は、閉方向に向けて第一係止機構１１０側に傾斜して延びる。以下、第二摺動面２３４と開方向（閉方向）とがなす鈍角の角度を角度α２という。角度α２と角度α１は互いに異なる。角度α２は角度α１よりも小さい。換言すると、角度α１は角度α２よりも大きい。
【００３６】
第二壁面２３５は、第二摺動面２３４の開方向側の端から、開方向に向けて延びる。第二傾斜面２３６は、第二壁面２３５の開方向側の端から、開方向に向けて右側に傾斜して延びる。換言すると、第二傾斜面２３６は、開方向に向けて第一係止機構１１０側に傾斜して延びる。以下、第二傾斜面２３６と開方向とがなす鈍角の角度をβ２という。角度β２は角度β１よりも大きい。換言すると、角度β１は角度β２よりも小さい。
【００３７】
第二立設部２４１は、筐体２４の左側部に形成された穴部２４２を囲む壁部から下方に立設する。第二立設部２４１の先端部には、第二突部２４３が設けられる。第二突部２４３は第二立設部２４１から右方へ向けて突出する。第二突部２４３の配置位置は、カバー１９が閉塞位置より開方向側にある場合において、第二突出片２３１に対して第一係止機構１１０とは反対側となる位置である。
【００３８】
第二突部２４３は、接触面２４６、壁面２４５、角部２４９、及び第二被摺動面２４４を備える。接触面２４６は、第二突部２４３の先端から、開方向へ向けて右側へ向けて傾斜して延びる。壁面２４５は、接触面２４６の開方向側の端から、開方向へ向けて延びる。換言すると、壁面２４５及び接触面２４６は、互いに異なる方向に延びる平面である。角部２４９は、壁面２４５と接触面２４６を接続する部分である。角部２４９は前後方向に直線状に延びる。カバー１９が閉塞位置にある場合に、角部２４９に対して第二傾斜面２３６が閉方向側から線接触して係止する。これにより、第二係止機構２１０はカバー１９を係止する。
【００３９】
第二被摺動面２４４は、壁面２４５の開方向側の端から、開方向に向けて左側に傾斜して延びる。第二被摺動面２４４には、第二突出片２３１の第二摺動面２３４が摺動可能である。
【００４０】
第一係止機構１１０と第二係止機構２１０がカバー１９を係止する夫々の力の関係について説明する。第一係止機構１１０がカバー１９を係止する力は、接触面１４６が第一傾斜面１３６対して開方向への移動を制限する力である。第二係止機構２１０がカバー１９を係止する力は、角部２４９が第二傾斜面２３６に対して開方向への移動を制限する力である。角度β１は角度β２よりも小さい。従って、接触面１４６と接触する第一傾斜面１３６に対して作用する閉方向を向く力は、角部２４９と接触する第二傾斜面２３６に対して作用する閉方向を向く力よりも大きい。第一係止機構１１０は第二係止機構２１０よりも大きな力でカバー１９を係止する。さらに、接触面１４６と第一傾斜面１３６は、互いに平行であるので、互いに面接触し易い。第一傾斜面１３６に作用する摩擦力は増加する。従って、第一係止機構１１０がカバー１９を係止する力は大きい。一方、角部２４９と第二傾斜面２３６は互いに線接触するので、第二傾斜面２３６に作用する摩擦力は低減する。従って、第二係止機構２１０がカバー１９を係止する力は小さい。以上より、第一係止機構１１０がカバー１９を係止する力は、第二係止機構２１０がカバー１９を係止する力よりも大きい。
【００４１】
図６を参照し、第一係止機構１１０、第二係止機構２１０、カバー１９、レバー１６、レバー押圧部６２、機械式センサ６６、及びセンサ押圧部６３の位置関係について説明する。尚、図６では、図２のＩ−Ｉ線矢視方向における印刷装置１の断面図を簡略化して図示する（図７〜図１２も同様）。第一係止機構１１０と第二係止機構２１０とから左右方向において等しい距離の位置である中間位置Ｐは、カバー１９の左右方向における中心位置と略一致する。従って、レバー１６、レバー押圧部６２、機械式センサ６６、及びセンサ押圧部６３は、何れも、中間位置Ｐに対して、第一係止機構１１０が配置される右側に位置する。
【００４２】
図１、図３、図６、及び図７を参照し、カバー１９が開放位置から閉塞位置まで回動し係止される動作について説明する。図１に示すように、ユーザは、開放位置にあるカバー１９の、例えば左右方向の中央部を閉方向に向けて付勢する。カバー１９は開放位置から閉塞位置に向けて回動する。レバー押圧部６２は、第一位置にあるレバー１６に当接し、正面視で時計回り（図４の矢印Ｄ１方向）に向けて揺動させる。即ち、レバー１６は、閉塞位置に向けて回動するカバー１９に連動して、第一位置から第二位置に向けて揺動する。レバー１６の揺動に伴い、前端位置にあるローラホルダ１８は、平面視で時計回り（図４の矢印Ｄ５方向）に向けて揺動する。即ち、第二位置に向けて揺動するレバー１６は、プラテンローラ１５（図５参照）を、シート材５９に対して離間する位置から接触する位置向けて揺動させる。
【００４３】
図６に示すように、開放位置にあったカバー１９は、当接位置まで回動する。当接位置は、第一摺動面１３４が第一被摺動面１４４と当接し、且つ第二摺動面２３４が第二被摺動面２４４と当接するカバー１９の回動位置である。当接位置は、開放位置と閉塞位置との間にある位置である。
【００４４】
ユーザが、当接位置にあるカバー１９を更に閉方向に付勢すると、第一摺動面１３４及び第二摺動面２３４には略均等に力が作用する。角度α１は角度α２よりも大きい。これにより、第一被摺動面１４４と当接する第一摺動面１３４に対して作用する開方向を向く力は、第二被摺動面２４４と当接する第二摺動面２３４に対して作用する開方向を向く力よりも小さい。従って、第一突出片１３１は第二突出片２３１よりも先に閉方向に移動する。
【００４５】
第一突出片１３１は、第一摺動面１３４を第一被摺動面１４４に対して摺動させた後、第一壁面１３５を壁面１４５に対して摺動させながら、閉方向に移動する。第一立設部１４１は基端部を支点として右方に撓む。図７に示すように、第一突出片１３１は、第一傾斜面１３６の閉方向側の端部が接触面１４６に対して閉方向側から係止する位置まで移動する。右方に撓んでいた第一立設部１４１は、基端部を支点として元の位置まで変位する。第一係止機構１１０はカバー１９を係止する。第一係止機構１１０及び第二係止機構２１０のうち第一係止機構１１０のみがカバー１９を係止するので、カバー１９は左側の部位が右側の部位よりも高い姿勢（以下、傾斜姿勢という）となる。
【００４６】
図３及び図７に示すように、ユーザが傾斜姿勢のカバー１９を閉方向に更に付勢すると、第二摺動面２３４に集中して力が作用する。第二摺動面２３４に作用する力は増大する。従って、第二突出片２３１は閉方向に容易に移動する。
【００４７】
第二突出片２３１は、第二摺動面２３４を第二被摺動面２４４に対して摺動させた後、第二壁面２３５を壁面２４５に対して摺動させながら、閉方向に移動する。第二立設部２４１は基端部を中心に左方に撓む。第二突出片２３１は、第二傾斜面２３６の閉方向側の端部が接触面２４６に対して閉方向側から係止する位置まで移動する。左方に撓んでいた第二立設部２４１は、基端部を支点として元の位置まで変位する。第二係止機構２１０はカバー１９を係止する。これにより、カバー１９は、閉塞位置にて第一係止機構１１０及び第二係止機構２１０の夫々によって係止される。カバー１９は閉塞位置に到達する（図３参照）。本実施形態では一例として、閉塞位置にあるカバー１９は、開口部７（図１参照）を平面視で全て閉塞する。
【００４８】
尚、当接位置から閉塞位置までカバー１９が回動する間に、レバー押圧部６２はレバー１６を第二位置まで揺動させ、センサ押圧部６３は機械式センサ６６を閉方向に押圧する。第二位置にあるレバー１６は、レバー押圧部６２と接触したままである。レバー１６が第二位置まで揺動することで、ローラホルダ１８は後端位置まで揺動する。プラテンローラ１５及び可動搬送ローラ１４は、シート材５９に接触する（図５参照）。
【００４９】
機械式センサ６６は、閉塞位置にあるセンサ押圧部６３を開方向に付勢し、第二位置にあるレバー１６は、閉塞位置にあるレバー押圧部６２を開方向に付勢する。機械式センサ６６及び第二位置にあるレバー１６は、夫々、カバー１９の中間位置Ｐよりも右側に配置される。従って、センサ押圧部６３及びレバー押圧部６２を介してカバー１９に作用する力は、第二傾斜面２３６よりも第一傾斜面１３６に強く作用する。しかしながら、第一係止機構１１０は第二係止機構２１０よりも強い力でカバー１９を係止するので、第一係止機構１１０による係止は解除されにくい。
【００５０】
図３、図６、及び図７を参照し、閉塞位置にあるカバー１９の係止が解除され、開放位置まで回動される動作について説明する。図３に示すように、ユーザは、閉塞位置にあるカバー１９の、例えば左右両端部を夫々摘み、開方向に向けて付勢する。第一突出片１３１の第一傾斜面１３６及び第二突出片２３１の第二傾斜面２３６には、略同等の力で上方に付勢される。第二係止機構２１０がカバー１９を係止する力は、第一係止機構１１０よりも小さいので、第二突出片２３１は第一突出片１３１よりも先に開方向に向けて移動する。
【００５１】
第二突出片２３１は、第二傾斜面２３６を角部２４９に対して摺動させた後、第二壁面２３５を壁面２４５に対して摺動させながら、開方向に移動する。第二立設部２４１は基端部を中心に左方に撓む。第二突出片２３１は、第二摺動面２３４の開方向側の端部が第二被摺動面２４４に対して開方向側から接触する位置まで移動する。左方に撓んでいた第二立設部２４１は基端部を中心として元の位置まで戻る。第二係止機構２１０による係止は解除される。レバー押圧部６２はレバー１６から開方向に離間し、センサ押圧部６３は機械式センサ６６から開方向に離間する。
【００５２】
図７に示すように、カバー１９は傾斜姿勢に変位する。第一突出片１３１は、左方に変位し、第一傾斜面１３６が第一立設部１４１から離間する方向に傾く。第一突出片１３１は第一立設部１４１に対して押圧されにくい。さらに、第一突出片１３１が左方へ変位することで、第一傾斜面１３６が接触面１４６に対して左方に変位する。第一傾斜面１３６と接触面１４６との接触面積は低減する。第一係止機構１１０がカバー１９を係止する力は低減する。また、ユーザが傾斜姿勢にあるカバー１９を開方向に向けて更に付勢すると、カバー１９に作用する力は第一突出片１３１に集中する。よって、第一突出片１３１は、開方向に向けて容易に移動する。
【００５３】
第一突出片１３１は、第一傾斜面１３６を接触面１４６に対して摺動させた後、第一壁面１３５を壁面１４５に対して摺動させながら、開方向に移動する。第一立設部１４１は基端部を中心に右方に撓む。第一突出片１３１は、第一摺動面１３４の開方向側の端部が第一被摺動面１４４に対して開方向側から接触する位置まで移動する。右方に撓んでいた第一立設部１４１は、基端部を中心に元の位置まで戻る。第一係止機構１１０によるカバー１９の係止は解除される。カバー１９は当接位置に到達する（図６参照）
【００５４】
ユーザがカバー１９を開方向に付勢することで、カバー１９は当接位置から開放位置まで回動する。カバー１９が開放位置まで回動するまでの間に、突出片６４はレバー１６を第一位置まで引き上げる。レバー１６が第一位置まで揺動すると、ローラホルダ１８（図４参照）は、付勢バネ（図示略）の付勢力によって後端位置から前端位置まで揺動する。
【００５５】
以上、説明したように、角度β１が角度β２よりも小さいので、第一係止機構１１０は第二係止機構２１０よりも強い力でカバー１９を係止する。ユーザがカバー１９を閉塞位置から開放位置へ向けて回動させる場合、第二係止機構２１０によるカバー１９の係止が解除された後に、第一係止機構１１０による係止が解除される。第一係止機構１１０及び第二係止機構２１０が左右方向に並んで設けられるので、第二係止機構２１０のみの係止が解除された場合、カバー１９は傾斜姿勢になる。カバー１９が閉塞位置よりも開方向側にある場合に、第一傾斜面１３６は第一突部１４３と第二突部２４３との間に配置される。従って、カバー１９が傾斜姿勢になると、第一突出片１３１は、第一傾斜面１３６が第一突部１４３から離間する方向に傾く。第一傾斜面１３６は第一突部１４３に押圧されにくい。従って、第二係止機構２１０による係止が解除された場合、第一係止機構１１０による係止は解除され易くなる。よって、印刷装置１は、カバー１９の係止が解除される操作性を向上できる。
【００５６】
カバー１９は、開放位置から閉塞位置まで回動することで、レバー１６を第一位置から第二位置まで揺動させる。レバー１６は、第一位置から第二位置まで揺動することで、プラテンローラ１５をシート材５９に対して離間する位置から接触する位置まで移動させる。閉塞位置にあるカバー１９が、レバー１６及び機械式センサ６６によって開方向に付勢される場合であっても、閉塞位置にあるカバー１９の係止が外れないようにする必要がある。従って、第一係止機構１１０及び第二係止機構２１０のうち、少なくとも第一係止機構１１０による係止は外れにくくする必要がある。この場合であっても、第二係止機構２１０による係止が解除されカバー１９が傾斜姿勢になると、第一傾斜面１３６は第一突部１４３に押圧されにくい。また、第二係止機構２１０による係止が解除されれば、第一係止機構１１０のみがカバー１９を係止する。ユーザがカバー１９を開方向に更に付勢すると、カバー１９に作用する力は、第一突出片１３１に集中する。従って、第一係止機構１１０による係止は解除され易い。よって、印刷装置１は、プラテンローラ１５を、カバー１９の回動に伴って移動させることができると共に、カバー１９の係止が解除される操作性を向上できる。
【００５７】
レバー１６は、中間位置Ｐに対して第一係止機構１１０が配置される右側に配置される。閉塞位置にて係止されるカバー１９のうち、レバー１６によって開方向へ付勢される部位は、中間位置Ｐに対して右側となる。第一係止機構１１０は、第二係止機構２１０よりも強い力でカバー１９を係止する。従って、印刷装置１は、閉塞位置にて係止されるカバー１９がレバー１６によって開方向へ付勢される場合であっても、カバー１９の係止を外れにくくできる。
【００５８】
角部２４９と第二傾斜面２３６が線接触するので、第二係止機構２１０がカバー１９を係止する力は小さい。ユーザは、第二係止機構２１０によるカバー１９の係止を解除させ易い。よって、印刷装置１は、カバー１９の係止が解除される操作性を更に向上できる。
【００５９】
第一傾斜面１３６と第一突部１４３の接触面１４６とは互いに略平行である。第一傾斜面１３６と接触面１４６は面接触し易い。これにより、第一係止機構１１０がカバー１９を係止する力は大きい。よって、第一係止機構１１０及び第二係止機構２１０によって係止されるカバー１９に、偶発的な要因によって開方向へ向けた力が作用した場合であっても、カバー１９の係止は解除されにくい。
【００６０】
角度α１と角度α２は互いに異なる。これにより、ユーザがカバー１９を当接位置から閉塞位置まで回動させると、第一係止機構１１０及び第二係止機構２１０は順にカバー１９を係止する。第一係止機構１１０及び第二係止機構２１０によるカバー１９の係止は段階的になされる。ユーザがカバー１９を閉塞位置にて係止させるために必要とされる力は、軽減する。よって、印刷装置１は、カバー１９が係止される操作性を向上できる。
【００６１】
角度α１は角度α２よりも大きい。ユーザがカバー１９を当接位置から閉塞位置まで回動させる場合、第一突出片１３１が第二突出片２３１よりも先に閉方向に移動し易い。即ち、第一係止機構１１０は第二係止機構２１０に比べて、カバー１９を係止させ易い。従って、中間位置Ｐよりも右側に配置されたレバー１６が、カバー１９を開方向へ付勢する場合であっても、第一係止機構１１０はカバー１９を係止できる。よって、印刷装置１は、カバー１９が係止される操作性を更に向上できる。
【００６２】
上記実施形態において、サーマルヘッド１０は本発明の「印刷部」の一例である。第一係止機構１１０は本発明の請求項１に記載の「第一係止手段」の一例である。第二係止機構２１０は本発明の請求項１に記載の「第二係止手段」の一例である。角度β１は本発明の「前記第一傾斜面と前記開方向とがなす鈍角の角度」の一例である。角度β２は本発明の「前記第二傾斜面と前記開方向とがなす鈍角の角度」の一例である。プラテンローラ１５は本発明の「搬送ローラ」の一例である。レバー１６は本発明の「移動部材」の一例である。機械式センサ６６は本発明の「検知部」の一例である。接触面２４６及び壁面２４５は本発明の「二つの平面」の一例である。左右方向は本発明の「所定方向」の一例である。
【００６３】
本発明は上記実施形態に限定されるものではなく、種々の変更が可能である。印刷装置１は、レバー１６及び機械式センサ６６を備えなくてもよい。この場合、閉塞位置にあるカバー１９は、開方向に向けて付勢されにくい。また、第二位置にあるレバー１６は、レバー押圧部６２から下方に離間していてもよい。レバー１６は、プラテンローラ１５に代えてサーマルヘッド１０と連結してもよい。この場合、第一位置から第二位置まで揺動するレバー１６は、プラテンローラ１５に代えてサーマルヘッド１０を、シート材５９に対して離間する位置から接触する位置まで揺動させる。
【００６４】
角度α１は角度α２よりも大きくてもよい。この場合、当接位置にあるカバー１９が閉方向に付勢されると、第二突出片２３１が第一突出片１３１よりも先に閉方向に移動する。従って、第二係止機構２１０がカバー１９を係止した後、第一係止機構１１０がカバー１９を係止する。
【００６５】
第二突部２４３は角部２４９を備えなくてもよい。以下、図８を参照し、第一変形例に係る印刷装置２について説明する。印刷装置２は、第二係止機構２１０に代えて第二係止機構２２０を備える点を除いて、印刷装置１と同様の構成である。第二係止機構２２０は、第二立設部２４１に代えて第二立設部２６１を備える点を除いて、第二係止機構２１０と同様の構成である。第二立設部２６１の先端部には第二突部２６３が設けられる。第二突部２６３は、球状に形成され、第二立設部２６１から右方に向けて突出する。第二突出片２３１の第二傾斜面２３６が閉方向側から第二突部２６３に係止することで、第二係止機構２２０はカバー１９を係止する。第二突部２６３は球状であるので、第二突出片２３１と第二傾斜面２３６は点接触し易い。第二傾斜面２３６と第二突出片２３１との接触面積が低減するので、第二傾斜面２３６に作用する摩擦力は低減する。従って、第二係止機構２２０がカバー１９を係止する力は低減する。これにより、ユーザが、閉塞位置にて係止されるカバー１９を開方向に向けて付勢する場合、第一係止機構１１０よりも先に第二係止機構２２０による係止が解除され易い。よって、印刷装置２は、カバー１９の係止が解除される操作性を向上できる。
【００６６】
第一傾斜面１３６は第一突出片１３１に設けられなくてもよく、第二傾斜面２３６は第二突出片２３１に設けられなくてもよい。以下、図９を参照し、第二変形例に係る印刷装置３について説明する。印刷装置３は、第一係止機構１１０に代えて第一係止機構１２０を備える点と、第二係止機構２１０に代えて第二係止機構２３０を備える点とを除いて、印刷装置１と同様の構成である。第一係止機構１２０及び第二係止機構２１０は左右方向に並んで設けられる。第一係止機構１２０は、一例として、第二係止機構２１０の右側に配置される。
【００６７】
第一係止機構１２０は、互いに係止可能な第一突出片３３１及び第一立設部３４１を備える。第一突出片３３１は、カバー１９の裏面から閉方向側へ向けて突出する。第一突出片３３１の先端部には、第一突起部３３３が設けられる。第一突起部３３３は、球状に形成され、第一突出片３３１から右方に向けて突出する。第一立設部３４１は、筐体２４に形成される穴部１４２を囲む壁部から下方に向けて立設する。第一立設部３４１の先端部には第一斜面３４６が形成される。第一斜面３４６の配置位置は、カバー１９が閉塞位置より開方向側にある場合において、第一突起部３３３に対して第二係止機構２３０とは反対側となる位置である。第一斜面３４６は、開方向に向けて左側に傾斜して延びる。換言すると、第一斜面３４６は、開方向に向けて第二係止機構２３０側に傾斜して延びる。カバー１９が閉塞位置にある場合に、第一斜面３４６に対して第一突起部３３３が閉方向側から係止する。これにより、第一係止機構１２０はカバー１９を係止する。以下、第一斜面３４６と開方向とがなす鈍角の角度を角度γ１という。
【００６８】
第二係止機構２３０は、第二突出片４３１及び第二立設部４４１を備える。第二突出片４３１は、カバー１９の裏面から閉方向側に突出する。第二突出片４３１の先端部には第二突起部４３３が設けられる。第二突起部４３３は、球状に形成され、第二突出片４３１から左方に突出する。第二立設部４４１は、筐体２４に形成された穴部２４２を囲む壁部から下方に延びる。第二立設部４４１の先端部には、第二斜面４４６が形成される。第二斜面４４６は、開方向に向けて右側に傾斜して延びる。換言すると、第二斜面４４６は開方向に向けて第一係止機構１２０側に傾斜して延びる。カバー１９が閉塞位置にある場合に、第二斜面４４６に対して閉方向側から第二突起部４３３が係止する。これにより、第二係止機構２３０はカバー１９を係止する。以下、第二斜面４４６と開方向とがなす鈍角の角度を角度γ２という。
【００６９】
角度γ１は角度γ２よりも小さい。従って、第一係止機構１２０は第二係止機構２３０よりも強い力でカバー１９を係止する。ユーザが、閉塞位置にて係止されるカバー１９を開方向に向けて付勢すると、第一突出片３３１よりも先に第二突出片４３１が上方に移動する。第二突起部４３３が第二立設部４４１の先端部に対して開方向側から接触する位置まで、第二突出片４３１は移動する。第二係止機構２３０による係止は解除され、カバー１９は傾斜姿勢になる。カバー１９が閉塞位置よりも開方向側に位置する場合、第一突起部３３３は、第二係止機構２３０と第一斜面３４６との間に位置する。従って、カバー１９が傾斜姿勢になると、第一突出片３３１は、左方に変位し、第一突起部３３３が第一斜面３４６から離間する方向に傾く。第一突起部３３３は、第一斜面３４６に向けて押圧されにくくなる。第一突出片３３１は、第一立設部３４１を基端部を支点に右方に撓ませながら、上方に移動し易くなる。即ち、第一係止機構１２０がカバー１９を係止する力は低減する。従って、第二係止機構２３０による係止が解除された場合、第一係止機構１２０による係止は解除され易くなる。よって、印刷装置３は、カバー１９の係止が解除される操作性を向上できる。
【００７０】
上記第二変形例において、第一係止機構１２０は本発明の請求項９に記載の「第一係止手段」の一例である。第二係止機構２３０は本発明の請求項１１に記載の「第二係止手段」の一例である。角度γ１は「前記第一斜面と前記開方向とがなす鈍角の角度」の一例である。角度γ２は「前記第二斜面と前記開方向とがなす鈍角の角度」の一例である。
【００７１】
尚、第一突起部３３３は球状である代わりに、第一斜面３４６と接触可能な平面を備えてもよい。第一突起部３３３が備える平面は、第一斜面３４６と略平行であってもよい。第二突起部４３３は、球状である代わりに、第二斜面４４６と接触可能な平面を備えてもよいし、第二斜面４４６と接触可能な角部を備えてもよい。
【００７２】
印刷装置１の第二突出片２３１は、第二立設部２４１に対して右側に配置されていなくてもよい。以下、図１０を参照し、第三変形例に係る印刷装置４について説明する。印刷装置４は、第一係止機構１１０に代えて第一係止機構１３０を備える点と、第二係止機構２１０に代えて第二係止機構２４０を備える点とを除いて、印刷装置１と同様の構成である。第一係止機構１３０及び第二係止機構２４０は左右方向に並んで設けられる。第一係止機構１３０は、一例として、第二係止機構２４０の右側に配置される。
【００７３】
第一係止機構１３０は、互いに係止可能な第一突出片５３１及び第一立設部５４１を備える。第一突出片５３１は、カバー１９の裏面から閉方向側へ向けて突出する。第一突出片５３１の先端部には、第一係止面５３６が形成される。第一係止面５３６は、開方向に向けて左側に傾斜して延びる。換言すると、第一係止面５３６は、開方向に向けて第二係止機構２４０側に傾斜して延びる。以下、第一係止面５３６と開方向とがなす鈍角の角度を角度δ１という。第一立設部５４１は、筐体２４に形成された穴部１４２を囲む壁部から下方に向けて立設する。第一立設部５４１の先端部には、第一突出部５４３が設けられる。第一突出部５４３は、球状に形成され、第一立設部５４１から左方に向けて突出する。第一突出部５４３の配置位置は、カバー１９が閉塞位置より開方向側にある場合において、第一係止面５３６に対して第二係止機構２４０とは反対側となる位置である。カバー１９が閉塞位置にある場合、第一突出部５４３に対して閉方向側から第一係止面５３６が係止する。これにより、第一係止機構１３０はカバー１９を係止する。
【００７４】
第二係止機構２４０は、互いに係止可能な第二突出片６３１及び第二立設部６４１を備える。第二突出片６３１は、カバー１９の裏面から閉方向側に突出する。第二突出片６３１の先端部６３３には、第二係止面６３６が形成される。第二係止面６３６は、開方向に向けて左側に傾斜して延びる。換言すると、第二係止面６３６は、開方向に向けて第一係止機構１３０とは反対側に傾斜して延びる。以下、第二係止面６３６と開方向とがなす鈍角の角度を角度δ２という。第二立設部６４１は、筐体２４に形成された穴部２４２を囲む壁部から下方に延びる。第二立設部６４１の先端部には、第二突出部６４３が設けられる。第二突出部６４３は、球状に形成され、第二立設部６４１から左方に向けて突出する。カバー１９が閉塞位置にある場合、第二突出部６４３に対して閉方向側から第二係止面６３６が係止する。これにより、第二係止機構２４０はカバー１９を係止する。
【００７５】
角度δ１は角度δ２よりも小さい。従って、第一係止機構１３０は第二係止機構２４０よりも強い力でカバー１９を係止する。ユーザが、閉塞位置にて係止されるカバー１９を開方向に向けて付勢すると、第一突出片５３１よりも先に第二突出片６３１が上方に移動する。先端部６３３が第二突出部６４３に対して開方向側から接触する位置まで、第二突出片６３１は移動する。第一係止機構１３０よりも先に第二係止機構２４０による係止が解除され、カバー１９は傾斜姿勢になる。カバー１９が閉塞位置よりも開方向側に位置する場合、第一係止面５３６は、第二係止機構２４０と第一突出部５４３の間に位置する。従って、カバー１９が傾斜姿勢になると、第一突出片５３１は、左方に変位し、第一係止面５３６が第一突出部５４３から離間する方向に傾き、第一突出部５４３に向けて押圧されにくくなる。第一突出片５３１は、第一立設部５４１を基端部を支点に右方に撓ませながら、上方に移動し易くなる。即ち、第一係止機構１３０がカバー１９を係止する力は低減する。従って、第二係止機構２４０による係止が解除された場合、第一係止機構１３０による係止は解除され易くなる。よって、印刷装置４は、カバー１９の係止が解除される操作性を向上できる。
【００７６】
上記第三変形例において、第一係止機構１３０は本発明の請求項１０に記載の「第一係止手段」の一例である。第二係止機構２４０は本発明の請求項１１に記載の「第二係止手段」の一例である。角度δ１は「前記第一係止面と前記開方向とがなす鈍角の角度」の一例である。角度δ２は「前記第二係止面と前記開方向とがなす鈍角の角度」の一例である。
【００７７】
尚、第一突出部５４３は球状である代わりに、第一係止面５３６と接触可能な平面を備えてもよい。第一突出部５４３が備える平面は、第一係止面５３６と略平行であってもよい。第二突出部６４３は、球状である代わりに、第二係止面６３６と接触可能な平面を備えてもよいし、第二係止面６３６と接触可能な角部を備えてもよい。
【００７８】
第一係止面５３６は第一突出片５３１に形成されていなくてもよく、第二係止面６３６は第二突出片６３１に形成されていなくてもよい。以下、図１１を参照し、第四変形例に係る印刷装置５について説明する。印刷装置５は、第一係止機構１１０に代えて第一係止機構１４０を備える点と、第二係止機構２１０に代えて第二係止機構２５０を備える点とを除いて、印刷装置１と同様の構成である。第一係止機構１４０及び第二係止機構２１０は左右方向に並んで設けられる。第一係止機構１４０は、一例として、第二係止機構２５０の右側に配置される。
【００７９】
第一係止機構１４０は、互いに係止可能な第一突出片７３１及び第一立設部７４１を備える。第一突出片７３１は、カバー１９の裏面から閉方向側へ向けて突出する。第一突出片７３１の先端部には、第一凸部７３３が設けられる。第一凸部７３３は、球状に形成され、第一突出片７３１から右方に向けて突出する。第一立設部７４１は、筐体２４に形成される穴部１４２を囲む壁部から下方に向けて立設する。第一立設部７４１の先端部には、第一特定面７４６が形成される。第一特定面７４６の配置位置は、カバー１９が閉塞位置より開方向側にある場合において、第一凸部７３３に対して第二係止機構２５０とは反対側となる位置である。第一特定面７４６は、開方向に向けて左側に傾斜して延びる。換言すると、第一特定面７４６は、開方向に向けて第二係止機構２５０側に傾斜して延びる。カバー１９が閉塞位置にある場合に、第一特定面７４６に対して閉方向側から第一凸部７３３が係止する。これにより、第一係止機構１４０はカバー１９を係止する。以下、第一特定面７４６と開方向とがなす鈍角の角度を角度θ１という。
【００８０】
第二係止機構２５０は、互いに係止可能な第二突出片８３１及び第二立設部８４１を備える。第二突出片８３１は、カバー１９の裏面から閉方向側に突出する。第二突出片８３１の先端部には、第二凸部８３３が設けられる。第二凸部８３３は、第二突出片８３１から右方に突出する。第二立設部８４１は、筐体２４に形成された穴部２４２を囲む壁部から下方に延びる。第二立設部８４１の先端部には、第二特定面８４６が形成される。第二特定面８４６は開方向に向けて左側に傾斜して延びる。換言すると、第二特定面８４６は、開方向に向けて第一係止機構１４０とは反対側に傾斜して延びる。カバー１９が閉塞位置にある場合に、第二特定面８４６に対して閉方向側から第二凸部８３３が係止する。これにより、第二係止機構２５０はカバー１９を係止する。以下、第二特定面８４６と開方向とがなす鈍角の角度を角度θ２という。
【００８１】
角度θ１は角度θ２よりも小さい。従って、第一係止機構１４０は第二係止機構２５０よりも強い力でカバー１９を係止する。ユーザが、閉塞位置にて係止されるカバー１９を開方向に向けて付勢すると、第一突出片７３１よりも先に第二突出片８３１が上方に移動する。第一係止機構１４０よりも先に第二係止機構２５０による係止が解除される。第二凸部８３３が第二立設部８４１の先端部に対して開方向側から接触する位置まで、第二突出片８３１は移動する。カバー１９は傾斜姿勢になる。カバー１９が閉塞位置よりも開方向側に位置する場合、第一凸部７３３は、第二係止機構２５０と第一特定面７４６との間に位置する。従って、カバー１９が傾斜姿勢になると、第一突出片７３１は、先端部が第一特定面７４６から離間する方向に傾き、第一特定面７４６に向けて押圧されにくくなる。第一突出片７３１は、第一立設部７４１を基端部を支点に右方に撓ませながら、上方に移動し易くなる。即ち、第一係止機構１４０がカバー１９を係止する力は低減する。従って、第二係止機構２５０による係止が解除された場合、第一係止機構１４０による係止は解除され易くなる。よって、印刷装置５は、カバー１９の係止が解除される操作性を向上できる。
【００８２】
上記第四変形例において、第一係止機構１４０は本発明の請求項１１に記載の「第一係止手段」の一例である。第二係止機構２５０は本発明の請求項１１に記載の「第二係止手段」の一例である。角度θ１は「前記第一特定面と前記開方向とがなす鈍角の角度」の一例である。角度θ２は「前記第二特定面と前記開方向とがなす鈍角の角度」の一例である。
【００８３】
尚、第一凸部７３３は球状である代わりに、第一特定面７４６と接触可能な平面を備えてもよい。第一凸部７３３が備える平面は、第一特定面７４６と略平行であってもよい。第二凸部８３３は、球状である代わりに、第二特定面８４６と接触可能な平面を備えてもよいし、第二特定面８４６と接触可能な角部を備えてもよい。
【００８４】
図１２を参照し、第五変形例に係る印刷装置６について説明する。印刷装置６は、第二係止機構２１０に代えて第二係止機構２６０を備える点を除いて、印刷装置１と同様の構成である。第二係止機構２６０は、互いに係止可能な第二突出片９３１及び第二立設部９４１を備える。第二係止機構２６０は、一例として、第一係止機構１１０の左側に配置される。
【００８５】
第二突出片９３１は、カバー１９の裏面から閉方向側へ向けて突出する。第二突出片９３１の先端部には、第二傾斜面９５６が形成される。第二傾斜面９５６は、開方向に向けて右側に傾斜して延びる。換言すると、第二傾斜面９５６は、開方向に向けて第一係止機構１１０側に傾斜して延びる。第二傾斜面９５６と開方向とがなす鈍角の角度は、角度β１と同じであってもよいし、角度β１とは異なってもよい。
【００８６】
第二傾斜面９５６には、リブ９５０が設けられる。リブ９５０は、前後方向に厚みを有する板状であり、第二傾斜面９５６と略平行に直線状に延びる。本変形例においては、第二傾斜面９５６に設けられるリブ９５０は一つである。リブ９５０は、第二傾斜面９５６に前後方向に並んで複数設けられてもよい。
【００８７】
第二立設部９４１は、筐体２４に形成される穴部２４２を囲む壁部から下方に延びる。第二立設部９４１の先端部には、当接面９４６が形成される。当接面９４６の配置位置は、カバー１９が閉塞位置より開方向側にある場合において、第二立設部９４１に対して第一係止機構１１０とは反対側となる位置である。当接面９４６は、第二傾斜面９５６と略平行であり、開方向に向けて右側に傾斜して延びる。カバー１９が閉塞位置にある場合に、リブ９５０が閉方向側から当接面９４６に係止する。これにより、第二係止機構２６０はカバー１９を係止する。
【００８８】
リブ９５０が当接面９４６に係止するので、第二突出片９３１と第二立設部９４１との接触面積は低減する。従って、第二係止機構２６０は第一係止機構１１０よりも弱い力でカバー１９を係止する。ユーザが、閉塞位置にて係止されるカバー１９を開方向に向けて付勢すると、第一突出片１３１よりも先に第二突出片９３１が上方に移動する。
【００８９】
第二突出片９３１の先端部が第二立設部９４１の先端部に対して開方向側から接触する位置まで、第二突出片９３１は移動する。第一係止機構１１０よりも先に第二係止機構２６０による係止が解除される、カバー１９は傾斜姿勢になる。これにより、第一係止機構１１０がカバー１９を係止する力は低減する。従って、第二係止機構２６０による係止が解除された場合、第一係止機構１１０による係止は解除され易くなる。よって、印刷装置６は、カバー１９の係止が解除される操作性を向上できる。
【００９０】
尚、リブ９５０は、印刷装置２の第二傾斜面２３６（図８参照）、印刷装置３の第二斜面４４６（図９参照）、印刷装置４の第二係止面６３６（図１０参照）、及び印刷装置５の第二特定面８４６（図１１参照）に設けられてもよい。リブ９５０が設けられることで、第二係止機構２２０，２３０，２４０，２５０の夫々のカバー１９を係止する力は低減するので、印刷装置６と同様の効果を奏することができる。
【００９１】
以下、本開示の作用効果を例示する。下記の構成に注記した括弧書は、対応する本開示の構成を示す。
【００９２】
シート材（シート材５９）に印刷をする印刷部（サーマルヘッド１０）が内部に配置され、開口部（開口部７）を有する筐体（筐体２４）と、
前記開口部の少なくとも一部を閉塞する位置である閉塞位置と、前記開口部を開放する位置である開放位置との間を、所定方向（左右方向）に延びる仮想軸線回りに回動可能なカバー（カバー１９）と、
前記所定方向に並んで設けられ、夫々が前記カバーを前記閉塞位置にて係止する第一係止手段（第一係止機構１１０）及び第二係止手段（第二係止機構２６０）とを備え、
前記第一係止手段は、
前記カバーに設けられ、前記カバーが前記開放位置へ回動する方向である開方向に向けて、前記第二係止手段側に傾斜して延びる第一傾斜面（第一傾斜面１３６）と、
前記筐体に設けられ、前記第一傾斜面と略平行に延び、前記カバーが前記閉塞位置にある場合に、前記第一傾斜面と係止する接触面（接触面１４６）とを備え、
前記第二係止手段は、
前記カバーに設けられ、前記開方向に向けて前記第一係止手段側に傾斜して延びる第二傾斜面（第二傾斜面９５６）と、
前記第二傾斜面から突出し、前記第二傾斜面が傾斜する方向に直線状に延びる凸部（リブ９５０）と、
前記筐体に設けられ、前記第二傾斜面と略平行に延び、前記カバーが前記閉塞位置にある場合に、前記凸部と係止する当接面（９４６）とを備え、
前記カバーが前記閉塞位置と前記開放位置の間の所定位置にある場合に、前記第一傾斜面は、前記接触面と前記第二係止手段との間に配置されることを特徴とする印刷装置（印刷装置６）。
【００９３】
本構成によれば、第一係止手段は、第一傾斜面と接触面とが係止することでカバーを係止する一方、第二係止手段は、凸部と当接面とが接触することでカバーを係止する。従って、第二係止手段は、第一係止手段よりも弱い力でカバーを係止する。ユーザがカバーを閉塞位置から開放位置へ向けて回動させる場合、第二係止手段及び第一係止手段の順に係止が外れる。第二係止手段の係止がが解除された場合、カバーは、第二係止手段側の部位が第一係止手段側の部位よりも開方向側となる姿勢になる。第一傾斜面は接触面から離間する方向に変位し、接触面に押圧されにくい。これにより、第二係止手段の係止が解除された場合、第一係止手段による係止は解除され易くなる。よって、印刷装置は、カバーの係止が解除される操作性を向上できる。
【符号の説明】
【００９４】
１，２，３，４，５  印刷装置
１０                サーマルヘッド
１５                プラテンローラ
１６                レバー
１９                カバー
２４                筐体
６６                機械式センサ
１１０，１２０，１３０，１４０  第一係止機構
１３４              第一摺動面
１３６              第一傾斜面
１４３              第一突部
２１０，２２０，２３０，２４０，２５０  第二係止機構
２３０              第二係止機構
２３４              第二摺動面
２３６              第二傾斜面
２４３，２６３      第二突部
２４９              角部
３３３              第一突起部
３４６              第一斜面
４３３              第二突起部
４４６              第二斜面
５３６              第一係止面
５４３              第一突出部
６３６              第二係止面
６４３              第二突出部
７３３              第一凸部
７４６              第一特定面
８３３              第二凸部
８４６              第二特定面
Ｐ                  中間位置
α１，α２，β１，β２，γ１，γ２，δ１，δ２，θ１，θ２  角度
【図１】
0006299584.tif 000002
【図２】
0006299584.tif 000003
【図３】
0006299584.tif 000004
【図４】
0006299584.tif 000005
【図５】
0006299584.tif 000006
【図６】
0006299584.tif 000007
【図７】
0006299584.tif 000008
【図８】
0006299584.tif 000009
【図９】
0006299584.tif 000010
【図１０】
0006299584.tif 000011
【図１１】
0006299584.tif 000012
【図１２】
0006299584.tif 000013